Podtech/llm-jp-corpus-v4-ja_patent huggingface dataset:
(57)【要約】　　　（修正有）【課題】書籍については広告媒体として認知されておらず、広告を募集していなかった。また、広告主、広告代理店にとっては、全国の書店で販売される書籍を、広告媒体と利用して宣伝の手段として活用できていなかった。そこで、表紙カバーを広告媒体とした書籍とその発刊方法を提供する。【解決手段】書籍の表紙カバーに広告を印刷、掲載する。書籍カバーの表１、書籍カバーの背表紙２、表紙カバーの袖部分３、書籍表紙カバーの裏４、書籍表紙カバーの裏の折り返し部分５　以上、表紙カバーの５箇所の余白スペースを広告媒体として広告を募集して、広告を印刷、掲載することを解決の特徴とする。例えば、単行本、文庫本、地図、百科辞典、辞書、写真集、詩集、コミック単行本に広告を印刷、掲載することで、発刊コスト低減し、今までよりも安い価格で販売できるようにする。【選択図】　図１
2004078135.tif 000002
【特許請求の範囲】
【請求項１】
書籍の表紙カバーを広告媒体として広告を募り、表紙カバーに広告を
掲載した書籍。
【発明の詳細な説明】
【０００１】
【発明に属する技術分野】
この発明は、書籍の表紙カバーを広告媒体として活用して、出版者（出版社）に広告料金の収入をもたらして書籍の発刊コストを低減させるとともに、広告主、広告代理店に新しい広告の機会を与える書籍、およびその発刊方法である。
【０００２】
【従来の技術】
出版物のうち、雑誌については広告媒体として広く認知されており、広告料金収入により雑誌の発刊コストは低減し、読者が求める情報を掲載した雑誌をなるだけ安く提供している。また、広告主、広告代理店も広告媒体として、雑誌を商品やサービスの宣伝に活用している。
しかし、同じ出版物でも、書籍については広告媒体として認知されておらず、広告も募集していないのが現状である。また、広告主、広告代理店にとっても、全国の書店で販売される書籍に広告できれば、宣伝の手段として活用できるのに、現状では活用されておらず広告の募集や掲載がされていないのが現状である。書籍に広告を掲載して発刊する書籍は、その発刊方法が確立されていないのが現状である。
【０００３】
【発明が解決しようとする課題】
本発明者は、その欠点をなくして、書籍にも広告を掲載できるようにし、広告料金収入を獲得することで出版者（出版社）の発刊コストを低減すること、また、広告主、広告代理店が書籍に広告を掲載することで商品やサービスを宣伝する機会を増やすべく研究を重ねた。また、書籍の著者の収入も増大するべく研究を重ねた。
【０００４】
【課題を解決するための手段】
その結果、今まで広告媒体として認知されていなかった、また広告媒体として利用されていなかった書籍の表紙カバーを広告媒体とすることで課題を解決することができた。書籍の表紙カバーとは、書籍の表紙の上に被せるカバーのことである。書籍の場合、ほとんどの書籍は、表紙の上に表紙カバーを巻いて販売されているので、そこに広告を印刷、掲載することで課題を解決できる。
【０００５】
【発明実施の形態】
書籍の表紙カバーに広告を印刷、掲載する。＜表１（書籍カバーの表）＞、＜書籍カバーの背表紙＞、＜表１の折り返し部分（表紙カバーの袖部分）＞、＜表４（書籍表紙カバーの裏）＞、＜表４の折り返し部分（表紙カバーの袖部分）＞　以上、表紙カバーの５箇所を広告媒体として広告を募集して、広告を印刷、掲載する。
書籍は著者の著作物であるため、著者に表紙カバーを広告媒体として広告募集することと、広告の掲載の了承を得る。その際、広告掲載の見返りとして、広告料金の一部を（例えば広告料金の１０％を著者に還元する）著者に支払う。これにより著者は著作権印税に加えて、広告掲載料金の一部も手にすることができる。また、広告料金収入によ発刊コストを低減できることで、採算発行部数も低下するので書籍の発刊のリスクが軽減され、発刊しやすくなる。
また、広告主、広告代理店には、あらかじめ発刊される著者の氏名、書籍の内容をあらかじめ公開したうえで、広く広告を募集します。広告募集、広告掲載にあたって広告代理店には、広告掲載の見返りとして広告代理店手数料（例えば広告料金の２０％を支払う）を支払う。
＜表１（書籍カバーの表）＞は、書名タイトル等が入る場所のため、広告を印刷、掲載するスペースが小さいが、余白を利用して広告印刷、掲載する。例えば、商品写真や商品名だけを印刷、掲載する。
＜書籍カバーの背表紙＞は、書名タイトル等が入る場所のため、広告を印刷、掲載するスペースが小さいが、余白を利用した広告印刷、掲載する。例えば、商品写真や商品名だけを印刷、掲載する。
＜表１の折り返し部分（表紙カバーの袖部分）＞は、白地の場合が多いので、広告媒体として全部利用する。この縦長のスペースを全部利用して広告をデザインし、印刷、掲載する。
＜表４（書籍表紙カバーの裏）＞は、定価、商品バーコード等が印刷されている部分を除いて、余白を利用して広告を印刷、掲載する。＜表４の折り返し部分（表紙カバーの袖部分）＞は、著者の略歴が掲載される場合が多いが、略歴以外の余白を広告媒体として利用する。このスペースを利用して広告をデザインし、印刷、掲載する。また、ここに著者の略歴が掲載されていない場合は、この縦長のスペースを全部利用して広告をデザインし、印刷、掲載する。
単行本、文庫本、地図、百科辞典、写真集、詩集、コミック単行本など、今まで広告が掲載されていなかった書籍に広告を印刷、掲載するのである。
【０００６】
【発明の効果】
この発明によれば、書籍に広告が掲載されることが可能になり、書籍の出版者（出版社）は広告料金収入を得られる。広告料金収入により、発刊コストの低減が可能となり、採算発行部数も低下し、書籍発刊のリスクが軽減され、また安価に書籍を発刊できる。著者は著作権印税に加え、広告料金の一部を獲得できる上に、書籍を安いコストで発刊できる。そのため、国民、読者は今までよりも安価に書籍を購入できるようになる。広告主、広告代理店は、全国の書店で販売されている書籍を広告媒体として活用することができ、商品やサービスの宣伝の機会が増える。従って広告主の経営、マーケティングの手法として活用され、また広告代理店の販売広告媒体の増加にもなる。
雑誌に比べて割高な書籍に、広告が掲載することによって書籍の価格は低減し、国民、読者はより安く書籍を購入でき、知識を得ることができる。単行本、文庫本、地図、百科辞典、辞書、写真集、詩集、コミック単行本に広告を印刷、掲載することで、発刊コストが低減し、今までよりも安い価格で販売できるようになる。国民、読者は、今、今まで安い値段で書籍の知識を得られるようになることは、有益である。また、出版業、広告代理店、広告主にとって新たな広告媒体の誕生は、新たな収益獲得機会の増大となる。
【図面の簡単な説明】
【図１】本発明の平面展開図である。
【符号の説明】
１は表１（書籍カバーの表）、２は書籍カバーの背表紙、３は表１の折り返し部分（表紙カバーの袖部分）、４は表４（書籍表紙カバーの裏）、５は表４の折り返し部分（表紙カバーの袖部分）
【図１】
2004078135.tif 000003
(57)【要約】【課題】取付け時の取扱いがし易い換気装置を得る。また、本体箱体に貼設した断熱材の通風孔周りでの剥離を防ぎ、異音の発生を回避する。【解決手段】外殻を構成する鋼板製の本体箱体１の側面に開設された二系統の通風路の出入口端である室内吹出口４と室外吹出口５と、室内吸込口６と室外吸込口７とに、外側への曲げ部９と外方への折り返し部１０をそれぞれ設ける。このとき、本体箱体１の外表に貼着された断熱材８も、曲げと折り返しに追随して曲げ込まれ、曲げ部９と折り返し部１０とにより挟込む。折り返し部１０は、タレットパンチプレスで加工する。【選択図】　　　　　図２
2004069159.tif 000002
【特許請求の範囲】
【請求項１】
外殻を構成する鋼板製の本体箱体に開設され通風孔の口縁に曲げ部と折り返し部を設け、同通風孔の口縁のエッジを無くした換気装置。
【請求項２】
請求項１に記載の換気装置であって、本体箱体に断熱材を貼着し、この断熱材の通風孔口縁部分を曲げ部と折り返し部とにより挟込んで端縁処理した換気装置。
【請求項３】
請求項１又は請求項２のいずれかに記載の換気装置であって、折り返し部をタレットパンチプレスで形成した換気装置。
【発明の詳細な説明】
【０００１】
【発明の属する技術分野】
本発明は、比較的大型で質量の大きな換気装置に関するものである。
【０００２】
【従来の技術】
建物の天井構造等に吊り固定される換気装置は、中規模のものでも数１０ｋｇとその質量が大きなものである。この種の換気装置は、本体箱体内に熱交換器を内蔵していて、二系統の互いに独立した通風路に室内空気と室外空気を通し、熱交換器によって室内空気と室外空気を連続的に熱交換させるものである。
【０００３】
【発明が解決しようとする課題】
上記した従来の換気装置においては、質量が大きいため据付けに際しての取扱いが大変し辛いといった問題点がある。専用の取っ手や吊り金具を設けたものも有るが、装置の質量がさらに増すうえ、製造コストも高くつく。また、本体箱体の外表に断熱材を貼設したものもあるが、通風路の本体箱体における通風孔に臨む部分では、取扱い時に剥離し易く、剥がれた断熱材が換気運転による気流により振動して異音の発生原因になるといった問題点もある。
【０００４】
本発明は、係る従来の問題点を解決するためになされたものであって、その課題とするところは、取付け時の取扱いがし易い換気装置を得ることであり、本体箱体に貼着した断熱材の通風孔周りでの剥離を回避することである。
【０００５】
【課題を解決するための手段】
前記課題を達成するために請求項１の発明は、外殻を構成する鋼板製の本体箱体に開設され通風孔の口縁に曲げ部と折り返し部を設け、通風孔の口縁のエッジを無くす手段を採用する。
【０００６】
前記課題を達成するために請求項２の発明は、請求項１に係る前記手段における本体箱体に断熱材を貼着し、断熱材の通風孔口縁部分を曲げ部と折り返し部とにより挟込んで端縁処理する手段を採用する。
【０００７】
前記課題を達成するために請求項３の発明は、請求項１又は請求項２のいずれかに係る前記手段における折り返し部をタレットパンチプレスで形成する手段を採用する。
【０００８】
【発明の実施の形態】
図１〜図３によって示す本実施の形態は、建物の天井構造等に吊り固定される熱交換換気装置に関するものである。この熱交換換気装置は、０．５〜０．８ｍｍ程度の薄い鋼板で構成された外殻を構成する本体箱体１内に二系統の互いに独立した通風路が画成されている。通風路の途中は、内蔵された熱交換器２の一次通路と二次通路によって構成されている。各通風路には排気送風機３と給気送風機３Ａが組込まれ、室内空気を吸込み屋外へ排気しながら、室外空気を吸込み室内へ給気する給排気による換気を行う。この間、熱交換器２において室内空気と室外空気は連続的に熱交換され、温度や湿度といった状態量の変動の少ない換気が実施できるものである。
【０００９】
本体箱体１の側面には、各通風路の出入口端である室内吹出口４と室外吹出口５と、室内吸込口６と室外吸込口７とが丸形の通風孔として開設されている。本体箱体１の外表は、断熱材８の貼着により断熱が図られている。本体箱体１の室内吸込口６と室内吹出口４及び室外吸込口７と室外吹出口５は、それぞれ図２に示すように外側への曲げ部９と外方への折り返し部１０が設けられてカーリング状に構成され、各口縁にはエッジは無い。この折り返し部１０の加工は、種々の大きさ、形状にも対応できるタレットパンチプレスによって行われている。本体箱体に貼着された断熱材も、図３，図２に示すように曲げと折り返しに追随して曲げ込まれ、曲げ部９と折り返し部１０とにより挟込まれている。
【００１０】
室内吸込口６と室内吹出口４及び室外吸込口７と室外吹出口５のこの構造により、口縁の剛性が上がり、据付けに際して手を掛けて扱っても変形することもなく、手への当りも馴染みも良く、扱い易くなる。また、断熱材８の端縁が曲げ込まれているため、剥離して通風で振動して異音を発生するようなこともない。
【００１１】
【発明の効果】
請求項１の発明によれば、取付け時の取扱いがし易い換気装置が得られる。
【００１２】
請求項２の発明によれば、請求項１に係る前記効果とともに口縁の断熱材が剥離するようなこともなく、剥離した断熱材の振動で異音が発生するようなこともなくなる。
【００１３】
請求項３の発明によれば、請求項１又は請求項２のいずれかに係る前記効果とともに多様な形状、大きさの通風孔に対応できる。
【図面の簡単な説明】
【図１】実施の形態の熱交換換気装置の構成を示す構成図である。
【図２】実施の形態の熱交換換気装置の室内吹出口、室外吹出口、室内吸込口、室外吸込口の構造を拡大して示す拡大断面図である。
【図３】実施の形態の熱交換換気装置の室内吹出口、室外吹出口、室内吸込口、室外吸込口の加工過程を拡大して示す拡大断面図である。
【符号の説明】
１　本体箱体、　４　室内吹出口、　５　室外吹出口、　６　室内吸込口、　７　室外吸込口、　８　断熱材、　９　曲げ部、　１０　折り返し部。
【図１】
2004069159.tif 000003
【図２】
2004069159.tif 000004
【図３】
2004069159.tif 000005
(57)【要約】【課題】パラフィン切片から部分的に切片を切り取り、別なスライドグラスにその切り取った切片を整列させる技術を提供する。【解決手段】顕微鏡（１）に回転器具（２）に固定し、細い筒状の切り取り器具（３）をセットし、パラフィン切片をのせたスライドグラス、又はスライドグラス状透明固体（５）と切り取った切片を整列させる整列用スライドグラス（６）を顕微鏡ステージ（４）セットし、切り取った切片をスライドグラス（６）に整列させることを特徴とする。【選択図】　　　　図１
2004069666.tif 000002
【特許請求の範囲】
【請求項１】
ミクロトームなどで薄切されたパラフィン切片をスライドガラス、又はスライドグラス状透明固体に載せ、その切片内の目的とする部位を切り取り、切り取った切片を別なスライドグラスへ整列させる技術。
【発明の詳細な説明】
【０００１】
【発明の属する技術分野】
この発明は、顕微鏡観察下ミクロトームなどで薄切されたパラフィン切片をスライドグラス、又はスライドグラス状透明固体に載せ、その切片内の目的とする部位を切り取り、切り取った切片を別なスライドグラスへ整列させる技術に関するものである。
【０００２】
【従来の技術】
従来の組織切片の整列方法（ティッシュアレー）は、作成されたパラフィンブロックを細管で打ち抜き、再度パラフィンブロックに埋め戻し、それをミクロトームなどで薄切する方法である。
【０００３】
【発明が解決しようとする課題】
従来の方法には以下の欠点があった。
イ）パラフィンブロックを打ち抜く為、元のパラフィンブロックが破損し使用できなくなる。
ロ）数十、数百のパラフィンブロックを打ち抜き、埋め戻しをし、薄切した標本は、薄切の回数が増えるに従い各々の標本が同一形態を反映しているかは疑問であり、時には一部分が欠損することがある。
本発明は、以上のような欠点を失くすためになされたものである。
【０００４】
【課題を解決するための手段】
顕微鏡（１）に回転器具（２）と筒状の切り取り器具（３）を設け、顕微鏡ステージ（４）にパラフィン切片をのせたスライドグラス、又はスライドグラス状透明固体（５）と切り取った切片を整列させるスライドグラス（６）をセットする。
本発明は、以上の構成よりなるパラフィン切片の部分切り取りと整列させる技術である。
【０００５】
【発明の実施の形態】
以下、本発明の実施の形態について説明する。
顕微鏡（１）に回転器具（２）を固定し筒状切り取り器具（３）をセットする。ミクロトームなどから薄切されたパラフィン切片をスライドグラス、又はスライドグラス状透明固体（５）にのせ、顕微鏡（１）のステージ（４）にセットし、切り取った切片を整列させるスライドグラス（６）を同様にセットする。
本発明は、以上のような構造でこれを使用するときは、顕微鏡（１）で観察しながらステージ（４）を操作し、スライドグラス、又はスライドグラス状透明固体（５）にのせてあるパラフィン切片内の目的とする切り出したい部位に移動する。切り取り器具（３）を、パラフィン切片の目的部位に密着させ、回転器具（２）を回し目的部位を切り取る。次に、ステージを移動して整列用スライドグラス（６）のあらかじめ決めておいた場所に切り取った切片をのせる。
この操作をくり返すことにより、目的とするパラフィン切片をスライドグラス（６）上に整列させていく。
【０００６】
【発明の効果】
顕微鏡で観察しながらパラフィン切片から切り取り、整列させるので目的とする組織部位を確実に切り取り、そして整列させることができる。
パラフィンブロックを破損させないので、パラフィンブロックを継続して利用できる。
【０００７】
【図面の簡単な説明】
【図１】本発明の側面図である。
【図２】本発明の顕微鏡ステージ平面図である。
【符号の説明】
１　顕微鏡
２　回転器具
３　切り取り器具
４　顕微鏡ステージ
５　切片用スライドグラス、又はスライドグラス状透明固体
６　整列用スライドグラス
【図１】
2004069666.tif 000003
【図２】
2004069666.tif 000004
(57)【要約】【課題】ガラス基板表面へのＤＮＡ分子の非特異的吸着を抑制しつつ、ＤＮＡ分子の片方の末端を特異的に基板表面に共有結合させる方法を提供する。【解決手段】ガラス基板表面をジクロロジメチルシランによって疎水処理することで基板表面へのＤＮＡ分子の非特異的吸着を防いだ。従来、化学修飾したガラス表面でのＤＮＡ分子の非特異的吸着を抑制するための前処理や非特異的に吸着したＤＮＡ分子を取り除くための処理を必要としたが、本法では疎水性基板を用いることによりＤＮＡ分子の非特異的吸着を抑制しつつ、片方の末端をチオール化したＤＮＡ分子のみを基板表面に簡便にかつ特異的に固定できることを特徴とする。【選択図】　　図１
2004069665.tif 000002
【特許請求の範囲】
【請求項１】
ガラス基板表面を疎水処理することにより基板表面へのＤＮＡ分子の非特異的吸着を抑制しつつ、ＤＮＡ分子の片方の末端のみを基板表面へ選択的に固定する方法。
【発明の詳細な説明】
【０００１】
【発明の属する技術分野】
本発明は、疎水性基板上にＤＮＡ分子の片端を特異的に共有結合させる手法に関する。
【０００２】
【従来の技術】
ＤＮＡチップにおける従来のＤＮＡの固定化法では、基板ならびにＤＮＡ分子の片方の末端をそれぞれ化学修飾し、両者を結び合わすための試薬を介してＤＮＡ分子を固定させていた。
【０００３】
蛍光顕微鏡下においてＤＮＡ分子を固定する場合には、抗原抗体反応やアビジン−ビオチン間の結合を利用し、ガラス基板表面へＤＮＡ分子を特異的に固定する手法が用いられていた。
【０００４】
【発明が解決しようとする課題】
従来の基板上へのＤＮＡの固定化法においては、基板表面が親水的であるために負電荷を帯びているＤＮＡ分子を静電的に吸着するという問題があった。そのため、一度非特異的に吸着したＤＮＡ分子を高塩濃度の洗浄液を用いて取り外す必要があった。また、化学修飾後の基板表面をウシ血清アルブミンのようなタンパク質で処理することによってＤＮＡ分子の非特異的吸着を抑制する必要があった。
【０００５】
本発明は、ガラス基板表面を化学的に修飾したあと、これに続く処理を一切必要とせずＤＮＡ分子の非特異的吸着を抑制し、さらに片端を化学修飾したＤＮＡ分子をこの基板表面に特異的に共有結合させる方法を提供することを目的としている。
【０００６】
【課題を解決するための手段】
上記目的を達成するために、本発明の基板表面へのＤＮＡの固定化法では、まずガラス表面にジクロロジメチルシランを真空蒸着させることにより疎水処理し、ＤＮＡ分子のガラス表面への非特異的な吸着を防ぐ。
【０００７】
また、片方の末端をチオール化したＤＮＡ分子を疎水性ガラス表面に特異的に結合できることを本発明の特徴としている。
【０００８】
【発明の実施の形態】
本発明の実施の形態について図を用いて説明する。図１（ａ，ｂ）においてガラス基板１の表面をジクロロジメチルシラン２によってコーティングする。片端をチオール化したＤＮＡ分子３はガラス基板上のジクロロジメチルシランに作用し、共有結合することができる（図１（ｂ，ｃ））。
【０００９】
本発明の実施の形態について実験結果の例をあげて説明する。ジクロロジメチルシランによって疎水処理されたガラス基板上にチオール化ＤＮＡ分子が固定できるかどうかを調べるために蛍光顕微鏡下で直流電圧を印加することでＤＮＡ分子の伸張を観察することを試みたので、その結果を図２に示す。蛍光色素により染色されたＤＮＡ分子はガラス基板上で凝縮しているが、負の電荷を有するＤＮＡは直流電界の印加にともない正電極側に引き寄せられるため、片端で固定されているＤＮＡが直線的に伸張する様子が示された。また、直流電圧の印加を停止すると伸張していたＤＮＡ分子は再び凝縮した。一方、ガラス表面に固定されなかったＤＮＡ分子は電界の向きに沿って移動した。無修飾のＤＮＡ分子を用いた場合は、ガラス上に固定されたＤＮＡは観察されなかった。以上の結果は、本発明のＤＮＡの固定法がガラス表面へのＤＮＡの非特異的吸着を抑制しつつ、チオール化ＤＮＡのみを特異的に片端固定することを示している。
【００１０】
【発明の効果】
以上説明したように、本発明はガラス基板表面にＤＮＡ分子を特異的に固定することを可能にするために以下に記載されるような分野に応用できる。
【００１１】
本発明における疎水性基板へのＤＮＡの固定法はＤＮＡの非特異的な吸着を抑制できるために従来のＤＮＡチップにおけるプローブＤＮＡの固定の際にみられた非特異的に吸着したＤＮＡ分子を除去する操作を必要としない。また、基板とＤＮＡ分子をそれぞれ化学修飾したのち両者を繋ぎ合わすための試薬を必要とせず、チオール化ＤＮＡを直接的に疎水性基板に固定できるために簡便である。
【００１２】
また、１分子観測を基礎としたＤＮＡ−タンパタ質間相互作用の解析においても、従来法のウシ血清アルブミンなどを用いた表面処理を行う必要なく、これら生体高分子の基板表面への非特異的吸着を抑制できるため、効率良く反応を進行することが可能となる。
【図面の簡単な説明】
【図１】ジクロロジメチルシランによるガラス基板表面の疎水処理とその基板表面へのチオール化ＤＮＡ分子の片端固定の概念図である。
【符号の説明】
１　ガラス基板
２　ジクロロジメチルシラン
３　チオール化ＤＮＡ
【図２】ＤＮＡ分子がガラス基板上に片端固定され、直流電場によって個々のＤＮＡ分子が伸張・凝縮する様子を蛍光観察したものを示している。
【図番号の説明】
ａ　ガラス基板表面で凝集しているＤＮＡ分子の蛍光像
ｂ　直流電圧の印加を開始して１秒後のＤＮＡ像
ｃ　直流電圧の印加を開始して２秒後のＤＮＡ像
ｄ　直流電圧の印加を停止して２秒後のＤＮＡ像
ｅ　直流電圧の印加を停止して３秒後のＤＮＡ像
ｆ　図２ａ〜ｅにおけるガラス基板上のＤＮＡ末端の固定位置と電界の向きの説明図
【矢印の説明】
白矢印　ガラス基板上のＤＮＡ末端の固定位置
黒矢印（Ｅ）　直流電界の向き
白抜き三角　ガラス基板上に結合していないＤＮＡ分子
【図１】
2004069665.tif 000003
【図２】
2004069665.tif 000004
(57)【要約】【課題】電源が不要なコンパレート回路を主回路側に付け、デジタルでアイソレーションをすることで大幅に部品点数を削減する電圧検出回路を提供する。。【解決手段】電圧検出用のＩＣを用い高圧回路での動作を可能とし、これで直接フォトカプラーを駆動すると共に２つの電圧レベルの検出を２個のフォトカプラーで行ない、電流制限抵抗を共通化する。【選択図】　　図３
2004069517.tif 000002
【特許請求の範囲】
【請求項１】
高圧電源部に精密可変型シャントレギュレータを設け、抵抗で分圧された測定電圧を監視し、レギュレータの出力でフォトカプラーを駆動すると共に、レギュレータの出力をツェナーで印加電圧をクランプし高圧電源での動作を可能としたことを特徴とする電圧検出回路。
【請求項２】
電圧検出の２値を各々制御回路側に渡すのに、２個のフォトカプラーのＬＥＤをシリーズに接続し、電圧レベルでＯＮするＬＥＤを１個もしくは２個とコード化して電流制限抵抗の数を減じたことを特徴とする電圧検出回路。
【発明の詳細な説明】
【０００１】
【発明の属する技術分野】
本願はサーボドライブの主回路の電圧レベルをアイソレーションして監視する電圧検出回路に関する。
【０００２】
【従来の技術】
従来は主回路側にコンパレータを付けコンパレータの出力でフォトカプラーを駆動し電圧の状態を制御回路側にデジタルで渡したり、ＯＰアンプを付けてフォトカプラーでアナログアイソレートをして制御回路側で電圧を読んで判断していた。（図示せず）これらの回路構成では主回路側にアナログ回路を動作させる専用の電源が必要である。
【０００３】
【発明が解決しようとする課題】
電源が不要なコンパレート回路を主回路側に付け、デジタルでアイソレーションをすることで大幅に部品点数を削減する電圧検出回路を提供することを目的とする。
【０００４】
【課題を解決するための手段】
電圧検出用のＩＣを用い高圧回路での動作を可能とし、これで直接フォトカプラーを駆動すると共に２つの電圧レベルの検出を２個のフォトカプラーで行ない、電流制限抵抗を共通化する事で部品点数の一層の削減を可能とする。
【０００５】
【発明の実施の形態】
図１は精密可変型シャントレギュレータＴＬ４３１を用いた本願の基本となる回路である、ＴＬ４３１はＴＩ社の名称で他の型式で国産化されている、ＴＬ４３１はＡとＲの電圧がおよそ２．５ＶになるとＫのレベルが低くなるのでＲ１，Ｒ２の電圧でＶＫＡを決める事ができその式は　ＶＫＡ＝２．５（Ｒ１＋Ｒ２）／Ｒ２となる。
【０００６】
この本来のツェナーの機能を用いたフォトカプラーの駆動回路が図２で有る。Ｒの電圧が２．５Ｖを越すとＫのレベルが下がりＰＨＣがＯＮする、ＲＤはフォトカプラーのＬＥＤの電流制限抵抗である。この回路では素子の絶対最大規格ＶＫＡ、ＭＡＸ＝３７Ｖで高圧の検出に用いる事はできない、よって破線の様に汎用のツェナーダイオードで電圧を点ＢとＧＮＤ間に取り付け２０Ｖ程度にクランプして使用に供する物である。これにより高圧での電圧検出が可能となる。主回路電圧は低、良、高の３状態即ち２値のレベル監視をこの回路行うと通常２回路この回路が必要となる、ところがＬＥＤの電流制限抵抗ＲＤは高圧で使用されるのでＬＥＤの電流が１０ｍＡとしてＶＰが３００Ｖとすると３Ｗ以上の大型抵抗が必要となる、即ちこの抵抗を減ずる事が大型部品を削除できる事になる。
【０００７】
図３は本願の回路でＲ１，Ｒ２，Ｒ３を用い２値の電圧レベルを設定しこれらをＴＬ４３１に入力し各々の出力をシリーズに接続されたＬＥＤのカソードに接続されている。ＶＰが上がって行くと当然Ａの方が電圧が高いので先にＴＬ４３１−１がＯＮし両方のフォトカプラーがＯＮする、更に電圧が高くなると点Ｂが２．５ＶとなりＴＬ４３１−２がＯＮしＰＨＣ−２のＬＥＤに流れる電流はパイパスされＰＨＣ２はＯＦＦする、即ち両方のフォトカプラー出力が両方ＯＦＦで低レベル、両方ＯＮで良好、一方ＯＮで高レベルと判断する事が可能でフォトカプラーの電流制限抵抗は１本で済ます事ができる。
【０００８】
【発明の効果】
主回路側に電源回路を不要とした部品点数の少ない２値の電圧レベルを監視する回路を供する事ができる。
【図面の簡単な説明】
【図１】本発明の電圧検出回路の基本回路図
【図２】駆動回路図
【図３】本発明の電圧検出回路図
【符号の説明】
Ｒ１、Ｒ２、Ｒ３：抵抗
ＲＤ：電流制限抵抗
ＴＬ４３１、ＴＬ４３１−１、ＴＬ４３１−２：精密可変型シャントレギュレータ
ＰＨＣ、ＰＨＣ１、ＰＨＣ２：フォトカプラ
【図１】
2004069517.tif 000003
【図２】
2004069517.tif 000004
【図３】
2004069517.tif 000005
(57)【要約】【課題】ユーザーが望む情報、データパターン、サンプリング条件、アラーム温度を自由に設定でき、且つ保持することを可能にする。【解決手段】本来のエンコーダ通信以前に上位コントローラはエンコーダが送出するデータ及びデータフォーマットを指定出来、かつこの状態を記憶可能にする。また、本来のエンコーダ通信以前に上位コントローラは位置データのサンプリング条件を指定出来、かつこの状態を記憶可能にする。また、本来のエンコーダ通信以前に上位コントローラは温度異常の警報レベルをエンコーダに送り、エンコーダはこのレベル以上になったときに警報をコントローラに送り、かつこのレベルを記憶可能にする。【選択図】　　図１
2004069329.tif 000002
【特許請求の範囲】
【請求項１】
本来のエンコーダ通信以前に上位コントローラはエンコーダが送出するデータ及びデータフォーマットを指定出来、かつこの状態を記憶可能なシリアルエンコーダ。
【請求項２】
本来のエンコーダ通信以前に上位コントローラは位置データのサンプリング条件を指定出来、かつこの状態を記憶可能なシリアルエンコーダ。
【請求項３】
本来のエンコーダ通信以前に上位コントローラは温度異常の警報レベルをエンコーダに送り、エンコーダはこのレベル以上になったときに警報をコントローラに送り、かつこのレベルを記憶可能なシリアルエンコーダ。
【発明の詳細な説明】
【０００１】
【発明の属する技術分野】
本発明はＦＡ、ロボット等に用いるシリアルエンコーダに関する。
【０００２】
【従来の技術】
従来、特許０２０３７６９８データ伝送システムに於いては事前にエンコーダとの冗長な通信を行い、爾後ポジションループを組むための高速通信を行っていたがフォーマットが固定されていた。更に温度データ等を逐一送っていたのでデータが冗長で有った。
【０００３】
【発明が解決しようとする課題】
機器内部の配線本数削減の為にデージーチェーン接続のエンコーダが要求されてきている。少ない時間間隔で要求されるデータを全て送るわけには行かないので、ユーザーの必要とするデータのみ送り伝送効率を上げる必要がある。更にデージーチェーンではデータのサンプリングのタイミングを同時にするか、最新のデータとするかユーザーによって要求が異なりこれに個々に対応する訳には行かない。
【０００４】
【課題を解決するための手段】
上記課題を解決するために本発明は、本来のエンコーダ通信以前に上位コントローラはエンコーダが送出するデータ及びデータフォーマットを指定出来、かつこの状態を記憶可能にする。
また、本来のエンコーダ通信以前に上位コントローラは位置データのサンプリング条件を指定出来、かつこの状態を記憶可能にする。
また、本来のエンコーダ通信以前に上位コントローラは温度異常の警報レベルをエンコーダに送り、エンコーダはこのレベル以上になったときに警報をコントローラに送り、かつこのレベルを記憶可能にする。
上記により、ユーザーが望む情報、データパターン、サンプリング条件、アラーム温度を自由に設定でき、且つ保持することを可能にする。
【０００５】
【発明の実施の形態】
本発明の実施の形態を図に基いて説明する。
図１はコントローラが第２の通信状態、ポジションループを組む状態、で送信要求のＲＥＱ信号を６個のエンコーダに対して送出後一定の時間間隔で各々時間差を持ってエンコーダが応答している事を示す。Ｔｎの時間間隔で６軸が応答するのでデータ量を多くする訳にはいかないのは明白で有り、コントローラが必要とするデータを事前に選択出きるようにする必要がある。サンプリングの条件も▲１▼か▲２▼の様にコントローラのソフトの作成条件でいずれかが選択出きる事が望ましい、温度異常も異常とするデータを事前にコントローラがエンコーダにデータとして送りこれ以上になった時に温度アラームを送出すれば１ｂｉｔのデータで済む。
【０００６】
図２はエンコーダ内部のブロック図でエンコーダスリットからのＳｉｎ、Ｃｏｓのアナログ信号はＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）１に入力される、温度センサの信号はＡ／Ｄコンバータ２を介してＣＰＵ３が読み込む、条件の保持にはＥＥＲＯＭ４が用いられる。伝送フォーマット、サンプリングタイム、温度異常情報等は第２の通信状態に入る以前の第１の通信状態で送られ、上記ＥＥＲＯＭに保持される。
【０００７】
【発明の効果】
本発明によれば、客先要求に応じたエンコーダを個々に作成することなく、エンコーダに条件を書き込む事でカスタマイズが可能となり、ハードウェアの共通化が出来る。
【図面の簡単な説明】
【図１】本発明を説明する図。
【図２】本発明を説明する図。
【符号の説明】
１　ＡＳＩＣ
２　Ａ／Ｄコンバータ
３　ＣＰＵ
４　ＥＥＲＯＭ
【図１】
2004069329.tif 000003
【図２】
2004069329.tif 000004
(57)【要約】【課題】ピン止め式としっかりした磁石止めが可能な磁石止め式を併用できる安価な掲示板を提供すること。【解決手段】外枠１の内側にピン１１が差し込まれる鉄板４を配設するとともに、この鉄板４の表面に表装シート５を装着し、且つ鉄板４の背面に鉄板４をバックアップする中詰材３を配設した。メッセージ紙１０は、ピン１１あるいは磁石１２の何れを用いても表装シート５の表面に貼付することができる。また鉄板４を用いることにより強い磁性力が得られるので磁石１２はずり落ちしにくく、メッセージ紙１０をしっかり固定して貼付することができる。【選択図】　　　　図２
2004069737.tif 000002
【特許請求の範囲】
【請求項１】
ピンが差し込まれる鉄板と、鉄板の表面に装着される表装シートと、鉄板の背面に配設されて鉄板をバックアップする中詰材とを備え、この鉄板と表装シートと中詰材を外枠で保持したことを特徴とする掲示板。
【請求項２】
前記中詰材が、ピッチをおいて並設された帯状材と、帯状材の間に配設された波状材から成ることを特徴とする請求項１記載の掲示板。
【発明の詳細な説明】
【０００１】
【発明の属する技術分野】
本発明は、オフィスや学校等に備えられる掲示板に関するものである。
【０００２】
【従来の技術】
メッセージ紙などを貼付する掲示板は、ピン止め式と磁石止め式のものに大別される。前者は、ベニヤ板などのボードに表装シートを貼着して構成されており、ピンによりメッセージ紙などを貼付するようになっている。また後者は、着磁シート（合成樹脂シートなどに磁性体である鉄粉を混入したもの）をボードに貼着したものであり、磁石と着磁シートの磁性力によりメッセージ紙などを貼付するようになっている。
【０００３】
【発明が解決しようとする課題】
前者のものは、安価ではあるが、ピンのみが使用可能であって磁石を使用することはできない。後者は、磁石により手軽にメッセージ紙を着脱できるが、着磁シートはかなり高価であってコストアップとなり、また着磁シートの磁性力は弱いため、磁石でメッセージ紙を貼付しても、磁石やメッセージ紙はずり落ちやすい。
【０００４】
そこで本発明は、ピン止め式としっかりした磁石止めが可能な磁石止め式を併用できる安価な掲示板を提供することを目的とする。
【０００５】
【課題を解決するための手段】
本発明の掲示板は、ピンが差し込まれる鉄板と、鉄板の表面に装着される表装シートと、鉄板の背面に配設されて鉄板をバックアップする中詰材とを備え、この鉄板と表装シートと中詰材を外枠で保持したものである。
また望ましくは、前記中詰材が、ピッチをおいて並設された帯状材と、帯状材の間に配設された波状材から成るものである。
【０００６】
本発明の掲示板は、ピンあるいは磁石のいずれを用いてもメッセージ紙などを貼付することができる。しかも鉄板は安価であり、また磁性力も強いので、磁石によりメッセージ紙をしっかり固定して貼付することができる。
【０００７】
【発明の実施の形態】
以下、本発明の実施の形態を図面を参照して説明する。図１は掲示板の斜視図、図２は掲示板の断面図、図３は中詰材の部分平面図である。
【０００８】
図１において、掲示板１は、四角形の外枠２の内部全体に中詰材３を配設し、中詰材３の表面に鉄板４を配設し、鉄板４の表面に表装シート５を装着して構成されている。外枠２は、アルミニウムなどの金属や合成樹脂などから成っており、その上部には係止用の止具６が装着されている。なお図１は、鉄板４と表装シート５は部分切欠して示している。
【０００９】
図１〜図３において、中詰材３は、ピッチをおいて並設された帯状材３ａと、帯状材３ａの間に配設された波状材３ｂから成っている。帯状材３ａと波状材３ｂは、ピンが差し込み可能な構造、材質であることが望ましく、例えば厚手の再生紙を適用できる。中詰材３は、鉄板４や表装シート５がへこまないように、これらを背面からバックアップ（支持）するものである。したがって中詰材は本実施の形態に限定されず、例えば発砲スチロール板などのピンが差し込み可能なものであればよい。
【００１０】
図２において、外枠２は止ネジなどの止具６により内枠７に固着されている。内枠７は、木材などにより４角形の枠型に形成されている。鉄板４と表装シート５の縁部は、外枠２と内枠７の間に固定されている。また鉄板４や表装シート５と反対面（裏面）には、背板８が設けられている。中詰材３、鉄板４、表装シート５、背板８は、外枠２に一体的に保持されている。
【００１１】
鉄板４としては、市販のピンが差し込み可能な厚さのものが適用される。本発明者の試作によれば、０．１２５ミリ程度の厚さの鉄板であれば、市販の一般のピンを簡単に差し込むことができる。また表装シート５としては、例えば１ミリ程度の厚さの繊維シートや樹脂シートが望ましい。いずれにせよ、鉄板４と表装シート５は、市販の一般のピンが比較的容易に差し込める程度の厚さと材質のものを適用する。
【００１２】
図２は、メッセージ紙１０を貼付した状態を示している。メッセージ紙１０は、ピン１１あるいは磁石１２の何れを用いても表装シート５の表面に貼付することができる。すなわち、ピン１１を用いる場合、ピン１１を表装シート５および鉄板４を貫通して差し込む。また磁石１２を用いる場合は、鉄板４との間には強い磁性力が生じるので、磁石１２は鉄板４に強く吸着され、ずり落ちしにくい。以上のようにこの掲示板１は、ピン１１あるいは磁石１２の何れを用いてもメッセージ紙１０を貼付することができる。
【００１３】
【発明の効果】
以上説明したように本発明によれば、ピン止め式と磁石止め式を併用できる安価な掲示板を実現できる。また鉄板を用いることにより強い磁性力が得られるので磁石はずり落ちしにくく、メッセージ紙をしっかり固定して貼付することができる。
【図面の簡単な説明】
【図１】掲示板の斜視図
【図２】掲示板の断面図
【図３】中詰材の部分平面図
【符号の説明】
１　掲示板
２　外枠
３　中詰材
４　鉄板
５　表装シート
１０　メッセージ紙
１１　ピン
１２　磁石
【図１】
2004069737.tif 000003
【図２】
2004069737.tif 000004
【図３】
2004069737.tif 000005
(57)【要約】【課題】文字の正確な筆順と、文字の字形、バランスの良い形を習得する為の文字練習帳。【解決手段】この発明は、方形状の枠線中に破線上の縦線と破線上の横線を方形状の枠線の中心を通るように表示し、予め記入され一部グレー化した模書練習用の手本文字と臨書練習用の枠を交互に配置したものから成り、手本文字の払い、曲がり、撥ね、止め、そり等の部分を強調するためのマーカーを色表示し、更に枠線外に、手本文字を含む単語を文字と図形で表示するとともに、手本文字には字形バランスをイメージさせる直線または曲線からなる囲み線を記したものである。【選択図】　　図１
2004069799.tif 000002
【特許請求の範囲】
【請求項１】
幼児などの文字練習帳に使用するものであって、方形状の文字枠内に予め記入され一部グレー化した模書（なぞり書き）練習用の手本文字と、臨書練習用の文字枠を交互に配置したことを特徴とする文字練習帳。
【請求項２】
前記文字枠内には破線状の直線を交差させた枠内線を設けたことを特徴とする請求項１記載の文字練習帳。
【請求項３】
前記模書練習用の手本文字の払い、曲がり、撥ねなどの部分を強調するためのマーカーを色表示することを特徴とする請求項１または２記載の文字練習帳。
【請求項４】
前記文字枠外に手本文字を含む単語を文字と図形で表示するとともに、前記手本文字には字形バランスをイメージさせる直線または曲線からなる囲み線を記したことを特徴とする請求項１から３記載の文字練習帳。
【発明の詳細な説明】
【０００１】
【発明の属する技術分野】
この発明は、文字の正確な筆順とバランスの良い形を習得する為の文字練習帳に関するものである。
【０００２】
【従来の技術】
従来、例えば手本となる文字を薄く表示してあるものを、鉛筆等で模書（なぞり書き）し、文字枠内に十文字状の破線からなる枠内線を予め表示してある文字枠で多数回練習することにより、文字の筆順、配置、字形等を覚えるものや、手本を横に置きこれを見ながら字形の整った文字を書く様な練習帳があった。
【０００３】
【発明が解決しようとする課題】
しかし、これらの従来の練習帳は、文字を書く練習ができても全体の字形バランスはとれず、筆順も覚えづらいものになっていた。特に児童の練習では枠内線が入っているにもかかわらず字形の大小は様々で、又、文字枠に２〜３文字入る事も少なくなく充分な文字練習が困難であるという問題があった。更に、文字の止め、撥ね、払い、曲がり、そり等を正確に練習することができないという問題もあった。
【０００４】
【課題を解決するための手段】
この発明は、方形状の枠線中に、破線上の縦線と破線上の横線を方形状の枠線の中心を通るように表示し、予め記入され一部グレー化した模書練習用の手本文字と臨書練習用の枠を交互に配置したものから成り、手本文字の払い、曲がり、撥ね、止め、そり等の部分を強調するためのマーカーを色表示し、更に枠線外に、手本文字を含む単語を文字と図形で表示するとともに、手本文字には字形バランスをイメージさせる直線または曲線からなる囲み線を記したことで、バランスのよい正確な文字を習得させることができる文字練習帳を提供するものである。
【０００５】
【実施例】
この発明の具体的実施例を図面に基づいて説明する。図１は本発明にかかる文字練習帳の紙面を示す図であり、文字の一つを用紙１で練習すべく構成されており、１頁の用紙１には、枠線４が実線として表されており、この枠線４中には、破線状の縦線５、横線６が枠線の中央で交差するように枠内線として表され、予め一部グレー化した模書練習用の手本文字２に、筆順３を指示したものが印刷表示されている。
【０００６】
更に、一部グレー化した模書練習用の手本文字２に隣接して、臨書練習用の文字枠７が、印刷表示されている。ここで、模書練習用の手本文字２と臨書練習用の文字枠７とは交互に配置されている。
【０００７】
又、紙面１の枠線４の外上方には、用紙１にて練習する文字の払い、曲がり、撥ねなどの部分を強調するためのマーカーで色表示した。ここでは、信号機８を用いて信号の色による筆の運び方説明つまり、青色９、９ａは「すすめ」、黄色１０、１０ｂは「ちゅうい」、赤色１１、１１ｃは「とまれ」というように視覚にうったえることで字形を学ぶことができる。
【０００８】
ここで、筆の払いは「すすめ」で、曲がり、撥ねは「ちゅうい」で、止めは「とまれ」を指している。ここでは、文字の払い、曲がり、撥ね、止め等、信号機をマーカーとして色表示したが、この実施例に限定されることなく、視覚によって学習目的が達せられるものであれば良い。
【０００９】
更に、紙面１の枠線４の外下方には、手本文字を含む単語１３を文字と図形で表示するとともにその単語を動物などの名称で表す絵１２を並記し、しかも、単語の手本文字部分にあたる文字は、字形バランスをイメージするのに最適な直線又は、曲線から成る文字に適用した囲み線１４を記してある。
【００１０】
なお、以上は平仮名文字について実施方法を説明したが、平仮名文字以外の各種文字、例えばカタカナ文字、漢字、ローマ字等その種類は問わない。又、一部グレー化した模書練習用手本文字と臨書用の文字枠は、年齢、レベルに応じて配置を変えることも可能である。
【００１１】
【発明の効果】
この発明では、常に隣接された手本を見て書く臨書と、手本を写し書きする模書とが反復して練習でき、文字本来の正確な形、位置、筆順を学びより一層の効果が期待できる。又、枠線外上方には、文字の線の払い状態、そり状態、曲がり状態、撥ね状態、止め状態等の部分を強調するためのマーカーを色表示しわかりやすく表現しているので、指示された通りに筆を運び繰り返すことによって正確な文字を覚えることができる。又、枠線外下方の手本文字を含む単語を文字と図形で表示するとともに手本文字には直線又は、曲線からなる囲み線を記したことで文字に興味を持ちイメージしながら自然に正確な形を覚えることが出来る。
【図面の簡単な説明】
【図１】本発明にかかる文字練習帳の紙面を示す図。
【符号の説明】
１・・・紙面
２・・・一部グレー化した模書練習用手本文字
３・・・筆順番号
４・・・枠線
５・・・縦破線
６・・・横破線
７・・・臨書練習用文字枠
８・・・マーカー
９・・・青色表示
１０・・・黄色表示
１１・・・赤色表示
１２・・・図形
１３・・・単語
１４・・・囲み線
【図１】
2004069799.tif 000003
(57)【要約】【課題】凝縮器の洗浄の際、塵埃とともに流れ落ちた洗浄済排水を積極的に排水するようにし、排水パンの底に塵埃が溜まり次第に堆積し、排水口を詰まらせ、排水パンを腐食させることのない凝縮器取付け部の排水構造を提供する。【解決手段】冷蔵庫Ａの機械部分１０を取り付けるベース１１において、凝縮器１４を取り付ける部分の表面をベース１１の外縁に向けて下り勾配の傾斜面Ｃとし、その外縁に堰１８を形成し、この堰１８に排水筒１７を設けたもので、上記排水筒１７に着脱可能のストレーナーを配置した構成としたものである。【選択図】　図１
2004069224.tif 000002
【特許請求の範囲】
【請求項１】
冷蔵庫、冷凍庫または冷凍・冷蔵庫の機械部分を取り付けるベースにおいて、凝縮器を取り付ける部分の表面をベースの外縁に向けて下り勾配の傾斜面とし、その外縁に堰を形成し、この堰に排水筒を設けたことを特徴とする凝縮器取り付け部の排水構造。
【請求項２】
上記排水筒に着脱可能のストレーナーを配置したことを特徴とする凝縮器取り付け部の排水構造。
【発明の詳細な説明】
【０００１】
【発明の属する技術分野】
この発明は冷蔵庫、冷凍庫または冷凍・冷蔵庫（以下、冷蔵庫等という）の凝縮器を取り付ける部分の排水構造に関する。
【０００２】
【従来の技術】
冷蔵庫等の機械部分２０は、ベース２１上に圧縮機２２と凝縮器２４と凝縮器ファンモーター２３が取り付けられている。
【０００３】
凝縮器２４は、その熱交換効率を上げるために銅管２５を蛇行させ、蛇行させた銅管２５に多数のフィン２６が取り付けられている。
【０００４】
従って、凝縮器ファン２３の運転によって外気が取り入れられると、取り入れられた外気とともに浮遊している塵埃が凝縮器２４に入り込み、長時間の運転により目詰まりを起こす。
【０００５】
このような状態になると熱交換効率が低下するので、一定期間ごとに凝縮器２４の洗浄を行う。
【０００６】
凝縮器２４の洗浄作業は、図２に示すように、凝縮器２４はベース２１に対して排水口２７を有する排水パン２８を介在して取り付けられており、洗浄するときは、凝縮器ファンモーター２３を取外し、洗浄水の飛散防止カバー２９を一点鎖線のように被せ、正面からホースなどにより洗浄水を吹き付け、洗浄後の水は排水パン２８に溜まり排水口２７から排水される。
【０００７】
【発明が解決しようとする課題】
上記凝縮器の洗浄水の排水パンと排水構造では、排水パンが水平な状態で取り付けられているので、洗浄済排水は積極的に排水されず、排水パンの底に溜まり次第に塵埃が堆積し、排水口を詰まらせ、排水パンを腐食させることとなり、かつ、銅管２５に付着した洗浄液をきれいに洗い落とせないため銅管を腐食させガス漏れを起こすこととなる。
【０００８】
この発明は上記問題に鑑み、凝縮器の洗浄の際、塵埃とともに流れ落ちた洗浄済排水を積極的に排水されるようにし、排水パンの底に塵埃が溜まり次第に堆積し、排水口を詰まらせ、排水パンを腐食させるようなことのない凝縮器取付け部の排水構造を提供することを課題とする。
【０００９】
【課題を解決するための手段】
上記課題を解決するためにこの発明は、冷蔵庫等の機械部分を取り付けるベースにおいて、凝縮器を取り付ける部分の表面をベースの外縁に向けて下り勾配の傾斜面とし、その外縁に堰を形成し、この堰に排水筒を設けたもので、上記排水筒に着脱可能のストレーナーを配置した構成としたものである。
【００１０】
上記の如く構成するこの発明によれば、凝縮器に付着した塵埃を洗い落とした洗浄水は、上記下り勾配の傾斜面を経て積極的に排出されるので洗い落とされた塵埃が堆積することなく排出され、凝縮器を洗浄した後は速やかに乾燥し腐食が進行するのを防止し、保守・保全作業を改善することができる。
【００１１】
【発明の実施の形態】
次に、この発明の実施の形態を図１を参照しながら説明する。冷蔵庫Ａの上にはベース１１があり、このベース１１に圧縮機１２と凝縮器ファンモーター１３と凝縮器１４と制御部ボックスＢが据えつけられている。
【００１２】
凝縮器１４を取り付ける部分のベース１１は、図１（ｂ）に示すように、その上面が外縁に向けて下り勾配の傾斜面Ｃとなり、その端に堰１８が形成され排水筒１７が取付けられ、排水筒１７には着脱可能のストレーナー（図省略）を配置できるようになっている。なお、機械部分は一点鎖線のように目隠し板Ｄで囲まれている。
【００１３】
凝縮器１４に付着した塵埃を洗い落とすときは、凝縮器ファンモーター１３を図のように取外し、洗浄水の飛散防止カバー１９を一点鎖線のように被せ、正面からホースなどにより洗浄水を吹き付ける。
【００１４】
凝縮器１４に付着した塵埃を洗い落とした排水は下り勾配の傾斜面Ｃを経て積極的に排水筒１７から排水される。
【００１５】
洗浄後は、飛散防止カバー１９を外し凝縮器ファンモーター１３を元の位置に取り付ける。
【００１６】
【発明の効果】
以上説明したようにこの発明によれば、凝縮器に付着した塵埃を洗い落とした排水は、下り勾配の傾斜面を経て塵埃とともに積極的に排水されるので、塵埃は堆積せず、速やかに乾燥し、腐食の恐れがなく、機械部分の保守・保全作業を改善した。
【図面の簡単な説明】
【図１】（ａ）　この発明を採用した冷蔵庫の機械部分斜視図
（ｂ）　この発明の排水部分の拡大斜視図
【図２】従来の冷蔵庫の機械部分の斜視図
【符号の説明】
１０，２０　機械部分
１１，２１　ベース
１２，２２　圧縮機
１３，２３　凝縮器ファンモーター
１４，２４　凝縮器
１５，２５　銅管
１６，２６　フィン
１７　排水筒
１８　堰
１９，２９　飛散防止カバー
２７　排水口
２８　排水パン
Ａ　冷蔵庫
Ｂ　制御部ボックス
Ｃ　傾斜面
Ｄ　目隠し板
【図１】
2004069224.tif 000003
【図２】
2004069224.tif 000004
(57)【要約】　　　（修正有）【課題】温水式暖房は、安全面、健康面でも必要です。従来の温水式暖房は設備費、熱源費、管理が大変だった。節約として小型化された一畳の温水式床暖房とか、一帖〜二帖の温水式マット、温水式一人用サウナなどの熱源に超小型温水式暖房加熱循環器を提供する。【解決手段】設備が要らない、維持管理が簡単、取り替えが簡単、経済的。温水システム暖房の小型化した部分に、単独に温水加熱循環機を設置できることを特徴とする。具体的には、温水式サウナの下に加熱循環器を設置して、その熱を床暖房に利用する。【選択図】図１
2004069279.tif 000002
【特許請求の範囲】
【請求項１】
半帖、一帖の温水式床暖房やミニ温水式マット、ミニ温水式サウナに必要とされる超小型温水式暖房加熱循環器
【発明の詳細な説明】
この発明は温水式床暖房ボイラーを超小型にしたものです。
水加熱ヒーターで湯を沸かし、ポンプで湯を循環し、サーモスタットで温度調整、モーターの振動調整にコントローラーを設置、特に湯に生じる空気（エアー）抜きに工夫。本体取替えが簡単に出来、設備費がかからず、操作も簡単に出来ます。
従来の温水式暖房ボイラーでは超小型、単独、自由、自在、簡単にできないため不便な場合が多かった。
本発明はその欠点を除く為になされたもので、写真図
【２】で説明すれば、▲１▼温水式サウナの下に、▲２▼温水式マット、のようにして超小型温水式床暖房加熱循環器を設置できるのです。
本発明はこのような構造であるから、思いのまま小さな温水式暖房熱源に、必要とされます。
【図面の簡単な説明】
【図１】本発明の写真図である。
【符号の説明】
１水注ぎ口、２エアー抜き口、３蓋、４温度切り替えスイッチ、５電源スイッチ、６燃焼等、７運転灯、８モーターコントローラー、９電源コード、１０循環ホース
【図２】▲１▼小型温水サウナの下に超小型温水式加熱循環機設置
▲２▼温水式マットに超小型温水式加熱循環機設置
【図１】
2004069279.tif 000003
【図２】
2004069279.tif 000004
(57)【要約】【課題】従来の温水式床暖房用熱源機は、床暖房放熱器に温水を供給するために、燃焼、もしくはシーズヒーターで温水をつくっていた。その為、燃焼方式では設置場所に制限があり、シーズヒーターでは温水の製造効率が良くなかった。そこで本発明は、室内に設置が出来且つ温水を効率よくつくることを課題とする。【解決手段】電磁誘導加熱コイル上に金属製のタンクを設置し、ポンプにてそのタンク内の温水を循環させる。この方式により、排気等の制約がなく設置場所を選ばず、且つ、温水を効率よく製造する事ができる。【選択図】図１
2004069283.tif 000002
【特許請求の範囲】
【請求項１】
温水式床暖房の放熱部に供給する温水を電磁誘導加熱ヒーターでつくる事を特徴とした熱源機。
【発明の詳細な説明】
【０００１】
【発明の属する技術分野】
本発明は、温水式床暖房用に温水を供給する熱源機技術に関する。
【０００２】
【従来の技術】
従来の温水式床暖房用熱源機は、燃焼、もしくはシーズヒーターで温水をつくっていた。
【０００３】
【本発明が解決しようとする課題】
しかし、従来の熱源機では、燃焼方式では設置場所に制限があり、シーズヒーターでは温水の製造効率が良くなかった。そこで本発明は、室内に設置が出来且つ温水を効率よくつくることを課題とする。
【０００４】
【発明の実施の形態】
電磁誘導加熱コイル上に金属製のタンクを設置し、ポンプにてそのタンク内の温水を循環させる熱源機。
【０００５】
【発明の効果】
本発明は以上に説明したような構成により、次のような効果を奏する。
請求項１に記載されている発明は電磁誘導加熱ヒーターを使用しているので、
設置場所を選ばず、且つ、温水を効率よく製造する事ができる。
【図面の簡単な説明】
【図１】温水式床暖房用熱源機の正面図である。
【図１】
2004069283.tif 000003